【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに、少なくとも前記スライダーの押圧部が接する、前記第１押受部の下面、及び該第１押受部に対向する前記第１接続部の上面をともにフラットに形成し、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設けるとともに、少なくとも前記スライダーの押圧部が接する前記第２押受部の下面をフラットに形成し、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記第１押受部及び前記第２押受部が前記押圧部の細長形状を利用して押し上げられ、前記押圧部が前記ＦＰＣ又は前記ＦＦＣを直に押圧することなく、前記スライダーの軸周りの回転に起因して前記第１及び第２接触部が前記ＦＰＣ又は前記ＦＦＣを押圧し、これにより電気接続されることを特徴とするコネクタ。
【請求項２】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに前記第１支点部から前記第１接触部と同じ方向に延設した第１延設部を有し、前記第１延設部は、該第１延設部と前記第１接触部との間にハウジングが存在しない状態で前記第１挿入溝に挿入され、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設け、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記第１押受部及び前記第２押受部が前記押圧部の細長形状を利用して押し上げられ、前記押圧部が前記ＦＰＣ又は前記ＦＦＣを直に押圧することなく、前記スライダーの軸周りの回転に起因して前記第１及び第２接触部が前記ＦＰＣ又は前記ＦＦＣを押圧し、これにより電気接続されることを特徴とするコネクタ。
【請求項３】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに前記第１支点部から前記第１接触部と同じ方向に延設した第１延設部を有し、前記第１延設部は、該第１延設部と前記第１接触部との間にハウジングが存在しない状態で前記第１挿入溝に挿入され、少なくとも前記スライダーの押圧部が接する、前記第１押受部の下面、及び該第１押受部に対向する前記第１接続部の上面をともにフラットに形成し、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設け、少なくとも前記スライダーの押圧部が接する前記第２押受部の下面をフラットに形成し、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記第１押受部及び前記第２押受部が前記押圧部の細長形状を利用して押し上げられ、前記押圧部が前記ＦＰＣ又は前記ＦＦＣを直に押圧することなく、前記スライダーの軸周りの回転に起因して前記第１及び第２接触部が前記ＦＰＣ又は前記ＦＦＣを押圧し、これにより電気接続されることを特徴とするコネクタ。
【請求項４】
前記第１挿入溝は、前記ハウジングを貫通している請求項１〜３の何れか一項に記載のコネクタ。
【請求項５】
前記ハウジングは、前記スライダーの押圧部によって、前記第１コンタクトの第１押受部及び前記第２コンタクトの第２押受部が押し上げられて上方変位する際、前記第１及び第２押受部の上方変位を妨げることのないよう、全ての第１及び第２コンタクトに対応する、前記ハウジングを切り欠いた一つの切欠部を有する請求項１〜４の何れか一項に記載のコネクタ。
【請求項６】
前記第１コンタクトの第１押受部の先端に突出部を設け、前記スライダーの押圧部が前記第１コンタクトの第１押受部の先端に向かう方向へ移動しないようにした請求項１〜５の何れか一項に記載のコネクタ。
【請求項７】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、前記ＦＰＣ又は前記ＦＦＣの上面側に位置しかつ前記接触部である第２接触部と、前記接続部である第２接続部との間に、第２弾性部と第２支点部とを有するとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を有するとともに、少なくとも前記スライダーの押圧部が接する前記第２押受部の下面をフラットに形成してなる第２コンタクトを含み、
前記ハウジングには、嵌合口側から前記スライダーが装着される側に向かう方向に延びる第２挿入溝が設けられ、前記第２コンタクトは前記第２挿入溝に挿入され、
前記スライダーには、長手方向に連設した細長形状の押圧部を前記第２押受部の直下に設けるとともに、所要数の前記第２コンタクトの第２押受部の先端と係合する係止孔を別個独立に形成して、隣接するコンタクト間に仕切り壁を配設し、
前記スライダーの軸周りの回転に伴い、前記押圧部が前記第２コンタクトの第２押受部に作用して、前記第２押受部が前記押圧部の細長形状を利用して押し上げられ、前記押圧部が前記ＦＰＣ又は前記ＦＦＣを直に押圧することなく、前記スライダーの軸周りの回転に起因して前記第２接触部が前記ＦＰＣ又は前記ＦＦＣを押圧し、これにより電気接続されることを特徴とするコネクタ。
【請求項８】
前記第２挿入溝は、前記ハウジングを貫通している請求項１〜７の何れか一項に記載のコネクタ。
【請求項９】
前記第２コンタクトは、前記第２支点部から前記第２接続部と反対方向に延設される第２延設部を有し、該第２延設部の上面の、少なくとも前記スライダーの押圧部が接する部分を、フラットに形成してなる請求項１〜８の何れか一項に記載のコネクタ。
【請求項１０】
前記第２コンタクトの第２押受部の先端に突出部を設け、前記スライダーの押圧部が前記第２コンタクトの第２押受部の先端に向かう方向へ移動しないようにした請求項１〜９の何れか一項に記載のコネクタ。
【請求項１１】
前記第２コンタクトの第２押受部に対向する前記ハウジングの上面の、少なくとも前記スライダーの押圧部が接する部分を、フラットに形成してなる請求項１〜１０の何れか一項に記載のコネクタ。
【手続補正２】
【補正対象書類名】明細書
【補正対象項目名】全文
【補正方法】変更
【補正の内容】
【発明の詳細な説明】
【発明の名称】コネクタ
【技術分野】
【０００１】
本発明は、携帯電話やノートパソコンやデジタルカメラ等に使用されるコネクタに関するもので、特にフレキシブルプリント基板（以下「ＦＰＣ」という）やフレキシブルフラットケーブル（以下「ＦＦＣ」という）にコンタクトを押しつける機構に関するものである。
【背景技術】
【０００２】
携帯電話やＣＣＤカメラ等に使用されるコネクタは、狭ピッチで極薄（所謂軽薄短小）であり、主にハウジングとコンタクトとスライダーとから構成され、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。
【０００３】
ハウジングには、コンタクトが挿入される所要数の挿入孔が設けられるとともにＦＰＣ又はＦＦＣが挿入される嵌合口が設けられている。
【０００４】
コンタクト６４は図８のように略コ字形状をしており、主にＦＰＣ４０又はＦＦＣと接触する接触部２２と基板等に接続する接続部２４とハウジング６２に固定される固定部４２とから構成されている。このコンタクト６４は、圧入等によってハウジング６２に固定されている。
【０００５】
例えば、スライダー６６は、図８のように略楔形状をしており、所要数のコンタクト６４が配置されたハウジング６２に、ＦＰＣ４０又はＦＦＣを挿入した後に、前記スライダー６６を挿入する。このようなスライダー６６は、主にハウジング６２に装着される装着部７４とＦＰＣ４０又はＦＦＣをコンタクト６４の接触部２２に押圧する押圧部６８とを備えている。ＦＰＣ４０又はＦＦＣが挿入される以前は、スライダー６６はハウジング６２に仮装着された状態になっており、ＦＰＣ４０又はＦＦＣが挿入された後にスライダー６６を挿入すると、図８（Ｂ）のようにＦＰＣ４０又はＦＦＣと平行に前記スライダー６６の押圧部６８が挿入され、コンタクト６４の接触部２２にＦＰＣ４０又はＦＦＣが押圧されるようになる。
【発明の概要】
【発明が解決しようとする課題】
【０００６】
近年、この種のコネクタ６０には、より低背位化の要求が強くなってきているが、上述した構造のコネクタ６０では、図８（Ｂ）のように６層（ハウジング６２の厚み方向両側の壁・コンタクト６４の接触部２２と受け部７０の厚さ・スライダー６６の押圧部６８の厚さ・ＦＰＣ４０又はＦＦＣの厚さ）構造になっている。低背位化を考えると、コンタクト６４の受け部７０を省略し、５層（ハウジング６２の厚み方向両側の壁・コンタクト６４の接触部２２の厚さ・スライダー６６の押圧部６８の厚さ・ＦＰＣ４０又はＦＦＣの厚さ）構造にすることはできるが、各部位の強度や仕様等からこれ以上低背位化が出来ないといった解決すべき課題があった。
【０００７】
また、上述のような構造のコネクタ６０では、ハウジング６２の嵌合口１８側のみで、ＦＰＣ４０又はＦＦＣの挿入とコンタクト６４の接触部２２をＦＰＣ４０又はＦＦＣに押しつける動作を行っているので、コネクタが小型化すればするほど作業性が悪いと言った問題点もある。
【０００８】
さらにまた、コネクタ６０のピッチの狭小化が要求された場合、従来の構造のようにコンタクト６４を一方向から挿入したのでは、コネクタの狭小化にも限界があった。
【０００９】
本発明は、このような従来の問題点に鑑みてなされたもので、各部位の強度や仕様等を損なうことなく、スライダーでＦＰＣ又はＦＦＣに確実に第１及び第２コンタクトの第１及び第２接触部を押圧することができ、作業性がよく、ピッチの狭小化や低背位化が可能なコネクタを提供せんとするものである。
【課題を解決するための手段】
【００１０】
上記目的を達成するため、本発明の要旨構成は以下の通りである。
（１）フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに、少なくとも前記スライダーの押圧部が接する、前記第１押受部の下面、及び該第１押受部に対向する前記第１接続部の上面をともにフラットに形成し、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設けるとともに、少なくとも前記スライダーの押圧部が接する前記第２押受部の下面をフラットに形成し、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記第１押受部及び前記第２押受部が前記押圧部の細長形状を利用して押し上げられ、前記押圧部が前記ＦＰＣ又は前記ＦＦＣを直に押圧することなく、前記スライダーの軸周りの回転に起因して前記第１及び第２接触部が前記ＦＰＣ又は前記ＦＦＣを押圧し、これにより電気接続されることを特徴とするコネクタ。
【００１１】
（２）フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに前記第１支点部から前記第１接触部と同じ方向に延設した第１延設部を有し、前記第１延設部は、該第１延設部と前記第１接触部との間にハウジングが存在しない状態で前記第１挿入溝に挿入され、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設け、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記第１押受部及び前記第２押受部が前記押圧部の細長形状を利用して押し上げられ、前記押圧部が前記ＦＰＣ又は前記ＦＦＣを直に押圧することなく、前記スライダーの軸周りの回転に起因して前記第１及び第２接触部が前記ＦＰＣ又は前記ＦＦＣを押圧し、これにより電気接続されることを特徴とするコネクタ。
【００１２】
（３）フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに前記第１支点部から前記第１接触部と同じ方向に延設した第１延設部を有し、前記第１延設部は、該第１延設部と前記第１接触部との間にハウジングが存在しない状態で前記第１挿入溝に挿入され、少なくとも前記スライダーの押圧部が接する、前記第１押受部の下面、及び該第１押受部に対向する前記第１接続部の上面をともにフラットに形成し、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設け、少なくとも前記スライダーの押圧部が接する前記第２押受部の下面をフラットに形成し、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記第１押受部及び前記第２押受部が前記押圧部の細長形状を利用して押し上げられ、前記押圧部が前記ＦＰＣ又は前記ＦＦＣを直に押圧することなく、前記スライダーの軸周りの回転に起因して前記第１及び第２接触部が前記ＦＰＣ又は前記ＦＦＣを押圧し、これにより電気接続されることを特徴とするコネクタ。
【００１３】
（４）前記第１挿入溝は、前記ハウジングを貫通している上記（１）〜（３）の何れか一項に記載のコネクタ。
【００１４】
（５）前記ハウジングは、前記スライダーの押圧部によって、前記第１コンタクトの第１押受部及び前記第２コンタクトの第２押受部が押し上げられて上方変位する際、前記第１及び第２押受部の上方変位を妨げることのないよう、全ての第１及び第２コンタクトに対応する、前記ハウジングを切り欠いた一つの切欠部を有する上記（１）〜（４）の何れか一項に記載のコネクタ。
【００１５】
（６）前記第１コンタクトの第１押受部の先端に突出部を設け、前記スライダーの押圧部が前記第１コンタクトの第１押受部の先端に向かう方向へ移動しないようにした上記（１）〜（５）の何れか一項に記載のコネクタ。
【００１６】
（７）フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、前記ＦＰＣ又は前記ＦＦＣの上面側に位置しかつ前記接触部である第２接触部と、前記接続部である第２接続部との間に、第２弾性部と第２支点部とを有するとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を有するとともに、少なくとも前記スライダーの押圧部が接する前記第２押受部の下面をフラットに形成してなる第２コンタクトを含み、
前記ハウジングには、嵌合口側から前記スライダーが装着される側に向かう方向に延びる第２挿入溝が設けられ、前記第２コンタクトは前記第２挿入溝に挿入され、
前記スライダーには、長手方向に連設した細長形状の押圧部を前記第２押受部の直下に設けるとともに、所要数の前記第２コンタクトの第２押受部の先端と係合する係止孔を別個独立に形成して、隣接するコンタクト間に仕切り壁を配設し、
前記スライダーの軸周りの回転に伴い、前記押圧部が前記第２コンタクトの第２押受部に作用して、前記第２押受部が前記押圧部の細長形状を利用して押し上げられ、前記押圧部が前記ＦＰＣ又は前記ＦＦＣを直に押圧することなく、前記スライダーの軸周りの回転に起因して前記第２接触部が前記ＦＰＣ又は前記ＦＦＣを押圧し、これにより電気接続されることを特徴とするコネクタ。
【００１７】
（８）前記第２挿入溝は、前記ハウジングを貫通している上記（１）〜（７）の何れか一項に記載のコネクタ。
【００１８】
（９）前記第２コンタクトは、前記第２支点部から前記第２接続部と反対方向に延設される第２延設部を有し、該第２延設部の上面の、少なくとも前記スライダーの押圧部が接する部分を、フラットに形成してなる上記（１）〜（８）の何れか一項に記載のコネクタ。
【００１９】
（１０）前記第２コンタクトの第２押受部の先端に突出部を設け、前記スライダーの押圧部が前記第２コンタクトの第２押受部の先端に向かう方向へ移動しないようにした上記（１）〜（９）の何れか一項に記載のコネクタ。
【００２０】
（１１）前記第２コンタクトの第２押受部に対向する前記ハウジングの上面の、少なくとも前記スライダーの押圧部が接する部分を、フラットに形成してなる上記（１）〜（１０）の何れか一項に記載のコネクタ。
【発明の効果】
【００２１】
本発明は、前記ＦＰＣ又はＦＦＣが前記ハウジングの嵌合口内に挿入された後に、前記スライダーの軸周りの回転に伴い、前記押圧部が前記第１及び第２押受部に作用して、前記第１及び第２押受部が第１及び第２押圧部の細長形状を利用して押し上げられることで、前記スライダーの軸周りの回転に起因して、前記第１接触部が前記ＦＰＣ又は前記ＦＦＣ側を押圧し、これによって、次のような優れた効果が得られる。
【００２２】
（１）前記スライダーを前記ハウジングの前記第１コンタクトの第１接続部側及び前記第２コンタクトの第２押受部側で回転させることで、前記コンタクトの第１及び第２接触部を前記ＦＰＣ又は前記ＦＦＣに押圧させる構造にしているので、前記ハウジングの嵌合口に前記スライダーを挿入することがなく、前記スライダーの厚み分だけ前記コネクタの低背位化が可能になった。
【００２３】
（２）２種類の前記第１及び第２コンタクトを準備し、前記第１コンタクトを第１接続部側から挿入し、前記第２コンタクトを前記ハウジングの嵌合口側から挿入し、前記スライダーを前記第１コンタクトの第１接続部側及び前記第２コンタクトの第２押受部側で回転させることで、容易に狭小化と低背位化が可能になる。
【００２４】
（３）前記ＦＰＣ又は前記ＦＦＣが前記ハウジングの嵌合口内に挿入された後に、前記スライダーの軸周りの回転に伴い、前記第１押受部が前記第１押圧部の細長形状を利用して押し上げられることで、前記スライダーの軸周りの回転に起因して、前記第１接触部が前記ＦＰＣ又は前記ＦＦＣ側に押圧されるので、確実に電気接続することができる。
【００２５】
（４）前記ＦＰＣ又は前記ＦＦＣが前記ハウジングの嵌合口内に挿入された後に、前記スライダーの軸周りの回転に伴い、前記第２押受部が前記第２押圧部の細長形状を利用して押し上げられることで、前記スライダーの軸周りの回転に起因して、前記第２接触部が前記ＦＰＣ又は前記ＦＦＣ側に押圧されるので、確実に電気接続することができる。
【００２６】
（５）前記第１及び第２コンタクトの第１及び第２押受部の少なくとも一方の先端に膨れ防止手段（第１及び第２突出部）を設けることにより、前記スライダーの軸周りの回転に伴い、前記押圧部を前記第１及び第２コンタクトの第１及び第２押受部に作用させるとき、前記スライダーの回転に対する反発力が強くても、前記スライダーの中央部が矢印「ハ」方向に膨れてしまうことを防ぐことが出来る。
【００２７】
（６）前記スライダーの押圧部の形状を細長形状（長軸と短軸がある）にすることにより、前記スライダーを回転した際に、確実に前記第１及び第２コンタクトの第１及び第２押受部を上方に押し上げ、前記第１及び第２接触部を前記ＦＰＣ又は前記ＦＦＣに容易に押圧させることができる。
【００２８】
（７）前記スライダーには所要数の前記第１及び第２コンタクトの第１及び第２突出部と係合する係止孔を設け、該係止孔を別個独立にすることにより、前記スライダーを強固で、確実に回転することができ、かつ、変形を生じない。
【００２９】
（８）前記第１コンタクトの第１支点部から前記第１接触部と同じ向きに延設した第１延設部を設け、該第１延設部の先端部に前記ＦＰＣ又は前記ＦＦＣと接触する第３接触部をさらに設けると、前記ＦＰＣ又は前記ＦＦＣの挿入方向に対して、直角方向両側に第１及び第３接触部を設けることになり、前記ＦＰＣ又は前記ＦＦＣを第１及び第３接触部で挟持することになるので、確実に前記ＦＰＣ又は前記ＦＦＣと接触できるようになる。
【００３０】
（９）前記第２コンタクトの第２支点部と第２接続部との間にも、前記ＦＰＣ又は前記ＦＦＣと接触する第４接触部をさらに設けると、前記ＦＰＣ又は前記ＦＦＣの挿入方向に対して、直角方向両側に第２及び第４接触部を設けることになり、前記ＦＰＣ又は前記ＦＦＣを第２及び第４接触部で挟持することになるので、確実に前記ＦＰＣ又は前記ＦＦＣと接触できるようになる。
【００３１】
（１０）第１及び第２コンタクトをハウジングへの挿入方向を変えて千鳥に配列することによって、ピッチの狭小化と低背位化が可能になる。
【図面の簡単な説明】
【００３２】
【図１】（Ａ）スライダーが開いた状態の嵌合口側からみた本発明のコネクタの斜視図である。（Ｂ）スライダーが開いた状態の接続部側からみた図１（Ａ）に示すコネクタの斜視図である。
【図２】（Ａ）スライダーが開いた状態のあるコンタクト部分で切断した本発明のコネクタの斜視図である。（Ｂ）ＦＰＣが挿入されスライダーが閉じた状態のあるコンタクト部分で切断した本発明のコネクタの斜視図である。
【図３】スライダーの斜視図である。
【図４】（Ａ）２つの接触部を持った第１コンタクトの斜視図である。（Ｂ）１つの接触部を持った別形態の第１コンタクトの斜視図である。
【図５】本発明の他のコネクタの斜視図である。
【図６】（Ａ）スライダーが開いた状態の第２コンタクト部分で切断した本発明のコネクタの斜視図である。（Ｂ）ＦＰＣが挿入されスライダーが閉じた状態の第２コンタクト部分で切断した本発明のコネクタの斜視図である。
【図７】ＦＰＣが挿入される前の嵌合口側からみた従来のコネクタの斜視図である。
【図８】（Ａ）ＦＰＣが挿入される前のあるコンタクト部分で切断した従来のコネクタの斜視図である。（Ｂ）ＦＰＣが挿入されスライダーが挿入された状態のあるコンタクト部分で切断した従来のコネクタの斜視図である。
【発明を実施するための形態】
【００３３】
図３から図６に基づいて、本発明のコネクタの一実施例について説明する。
図３はスライダーの斜視図である。図４（Ａ）は２つの接触部を持った第１コンタクトの斜視図であり、（Ｂ）は１つの接触部を持った別形態の第１コンタクトの斜視図である。図５はスライダーが閉じた状態の接続部側からみた本発明のコネクタの斜視図である。図６（Ａ）はスライダーが開いた状態の第２コンタクト部分で切断した本発明のコネクタの斜視図であり、（Ｂ）はＦＰＣが挿入されスライダーが閉じた状態の第２コンタクト部分で切断した本発明のコネクタの斜視図である。
【００３４】
本発明のコネクタ１０１は、主にハウジング１２１とスライダー１６１とコンタクト１４２とを備えている。
【００３５】
図に基づいて本発明のコネクタの構成部品について説明する。
まず、本発明のポイントである第１コンタクトについて説明する。このコンタクトは金属製であり、公知技術のプレス加工によって製作されている。前記コンタクトの材質としては、バネ性や導電性などが要求されるので、黄銅やベリリウム銅やリン青銅等を挙げることができる。
【００３６】
前記第１コンタクト１４は、図４（Ａ）では、略Ｈ字形状をしており、主に前記ＦＰＣ４０又は前記ＦＦＣと接触する第１接触部２２ａと、基板に接続する第１接続部２４ａと、ハウジング１２１に固定する第１固定部４２ａと、前記第１接触部２２ａと前記第１接続部２４ａとの間に設けられた第１弾性部３４ａ及び第１支点部３２ａと、前記第１接続部２４ａと対向する位置に前記第１弾性部３４ａから延設された第１押受部２０ａと、前記第１支点部３２ａから前記第１接触部２２ａと同じ向きに延設した第１延設部２２ｅとを備え、更に該第１延設部２２ｅの端部に前記ＦＰＣ４０又は前記ＦＦＣと接触する第３接触部２２ｃとを備えている。上方側の前記第１接触部２２ａ（図４（Ａ）の図面の上側）と前記第１弾性部３４ａと前記第１支点部３２ａと前記第１接続部２４ａとは、略クランク形状に配置されている。前記第１及び第３接触部２２ａ、２２ｃは、前記ＦＰＣ４０又は前記ＦＦＣと接触し易いように凸部形状にしており、前記第１接続部２４ａは本実施例では図１のように表面実装タイプ（ＳＭＴ）にしているが、ディップタイプでも良い。即ち、２つの前記第１及び第３接触部２２ａ、２２ｃを設けて、前記ＦＰＣ４０又は前記ＦＦＣを挟持するようにする。前記ＦＰＣ４０又は前記ＦＦＣの挿入方向に対して、直角方向両側に前記第１及び第３接触部２２ａ、２２ｃを設けることで、前記ＦＰＣ４０又は前記ＦＦＣを２つの前記第１及び第３接触部２２ａ、２２ｃで挟持することになり、確実に前記ＦＰＣ４０又は前記ＦＦＣと接触できるようになる。
【００３７】
前記第１支点部３２ａと前記第１弾性部３４ａと前記第１押受部２０ａとは、前記ＦＰＣ４０又は前記ＦＦＣが挿入された際に、次のような作用を果たすための部分である。前記ＦＰＣ４０又は前記ＦＦＣが前記ハウジング１２１の嵌合口１８内に挿入された後に、前記スライダー１６１の前述する軸２８周りの回転によって、押圧部３６が前記第１コンタクト１４の第１接続部２４ａと第１押受部２０ａに作用して、前記第１押受部２０ａが押圧部３６の細長形状を利用して押し上げられることで、前記押圧部が前記ＦＰＣ又は前記ＦＦＣを直に押圧することなく、前記スライダーの軸周りの回転に起因して、前記第１接触部２２ａが前記ＦＰＣ４０又は前記ＦＦＣ側に押圧される。前記第１支点部３２ａと前記第１弾性部３４ａと前記第１押受部２０ａの大きさや形状は、このような作用を果たすために、適宜設計されている。
【００３８】
また、前記第１コンタクト１４の第１押受部２０ａの先端に膨れ防止手段を設けることが好ましい。前記スライダー１６１の前記軸２８周りの回転によって、第１押圧部３６ａを前記第１コンタクト１４の第１押受部２０ａに作用させるとき、前記スライダー１６１の回転に対する反発力が強い為に、スライダー１６１の中央部が図６（Ｂ）の矢印「ハ」方向に膨れる傾向があるが、前記膨れ防止手段を設けることにより、かかる傾向を防ぐようにすることができるためである。さらに、膨れ防止手段として、前記第１押受部２０ａの先端に第１突出部２６ａを設けることが好適である。前記第１突出部２６ａの大きさは、上記役割を果たすことが出来れば如何なる大きさでもよく、前記スライダー１６１の第１押圧部３６ａが引っ掛かる程度に適宜設計する。
【００３９】
図４（Ｂ）に基づいて、別の第１コンタクト１４１について説明する。ここでは、上述した第１コンタクト１４との相違部分についてのみ説明する。別の第１コンタクト１４１の第１支点部３２ａから前記第１接触部２２ａと同じ方向に延設した第１延設部２２ｅ、及び前記ＦＰＣ４０又は前記ＦＦＣとの第３接触部２２ｃを削除したものであり、形状を略逆ｈ字形状にした。
【００４０】
さらに、本発明の第２のコンタクトについて説明する。第２コンタクト１４２も金属製であり、公知技術のプレス加工によって製作されている。材質は、第１コンタクト１４と同様である。
【００４１】
前記第２コンタクト１４２も第１コンタクト１４と同様に略逆ｈ字形状と略Ｈ字形状の２つのタイプがあり、略逆ｈ字形状のものは、主にＦＰＣ４０又はＦＦＣと接触する第２接触部２２ｂと、基板に接続する第２接続部２４ｂと、ハウジング１２１に固定する第２固定部４２ｂと、前記第２接触部２２ｂと前記第２接続部２４ｂとの間に設けられた第２弾性部３４ｂ及び第２支点部３２ｂと前記第２弾性部３４ｂから延設された第２押受部２０ｂとを備えている。前記第２接触部２２ｂと前記第２弾性部３４ｂと前記第２支点部３２ｂと前記第２接続部２４ｂとは、略コ字形状に配置されている。略Ｈ字形状のものは、前記第２支点部３２ｂから前記第２押受部２０ｂと同じ向きに延設した第２延設部４４が設けられている。前記第２接触部２２ｂは、ＦＰＣ４０又はＦＦＣと接触し易いように凸部形状にしており、前記第２接続部２４ｂは本実施例では図５のように表面実装タイプ（ＳＭＴ）にしているが、ディップタイプでも良い。
【００４２】
前記第２支点部３２ｂと前記第２弾性部３４ｂと前記第２押受部２０ｂとは、前記第１コンタクト１４と同様に、前記ＦＰＣ４０又は前記ＦＦＣが挿入された際に、前記スライダー１６１１の軸周りの回転に伴い、第２押圧部３６ｂが前記第２コンタクト１４２の第２押受部２０ｂに作用して、前記第２押受部２０ｂが押圧部３６の細長形状を利用して押し上げられることで、前記押圧部が前記ＦＰＣ又は前記ＦＦＣを直に押圧することなく、前記スライダーの軸周りの回転に起因して、前記第２接触部２２ｂが前記ＦＰＣ４０又は前記ＦＦＣ側に押圧される。前記第２支点部３２ｂと前記第２弾性部３４ｂと前記第２押受部２０ｂの大きさや形状は、このような作用を果たすために、適宜設計されている。
【００４３】
また、前記第２コンタクト１４２の第２押受部２０ｂの先端に第２突出部２６ｂを設ける。前記スライダー１６１の軸周りの回転に伴い、押圧部３６を前記第２コンタクト１４２の第２押受部２０ｂに作用させるとき、前記スライダー１６１の回転に対する反発力が強い為に、スライダー１６１の中央部が図６（Ｂ）の矢印「ハ」方向に膨れる傾向があるが、前記第２突出部２６ｂを設けることにより、かかる傾向を防ぐようにすることができる。前記第２突出部２６ｂの大きさは、このような役割を果たすことが出来れば如何なる大きさでもよく、前記スライダー１６１の押圧部３６が引っ掛かる程度に適宜設計する。
【００４４】
次に、本発明のもう一つのポイントであるスライダーについて説明する。このスライダーは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６１は、主に前記ハウジング１２１の嵌合口１８とは反対側に回転可能に装着される軸２８部分と、前記第１及び第２コンタクト１４、１４２の第１及び第２押受部２０ａ、２０ｂを押圧する押圧部３６と、前記第１及び第２コンタクト１４、１４２の第１及び第２突出部２６ａ、２６ｂが係合する係止孔３０とを備えている。前記軸２８は、前記スライダー１６１を回転させるための支点であり、前記ハウジング１２１の長手方向両側に前記スライダー１６１が回転可能に適宜装着されている。また、長手方向両側には、前記第１及び第２コンタクト１４、１４２の第１及び第２押受部２０ａ、２０ｂを押圧した際にスライダー１６１が高さ（図面の上）方向に持ち上がらないようにするために前記ハウジング１２１と係合するロック部が設けられている。ロック部の形状や大きさ等は、ハウジング１２１に係合できれば如何なるものでもよく、上述の役割やコネクタの大きさや強度等を考慮して適宜設計する。
【００４５】
前記押圧部３６は、前記第１及び第２コンタクト１４、１４２の第１及び第２押受部２０ａ、２０ｂに押し付ける部分であり、その形状としては細長形状にする。前記押圧部３６の形状は、本実施例では楕円形状をしている。このように楕円形状にすることによって、図２（Ａ）のように前記スライダー１６１を矢印「イ」方向に回転させ、前記第１コンタクト１４の第１押受部２０ａ及び前記第２コンタクト１４２の第２押受部２０ｂに作用して、前記押圧部３６の大きさの変化により前記第１及び第２コンタクト１４、１４２の第１及び第２押受部２０ａ、２０ｂが持ち上げられ、前記ＦＰＣ４０又は前記ＦＦＣを前記第１及び第２コンタクト１４、１４２の第１及び第２接触部２２ａ、２２ｂ側に押し付けている。前記押圧部３６の形状としては、前記スライダー１６１の軸周りの回転に伴い、前記第１コンタクト１４の第１押受部２０ａと前記第２コンタクト１４２の第２押受部２０ｂに作用して、長軸と短軸といった大きさの違いにより前記第１及び第２コンタクト１４、１４２の第１及び第２押受部２０ａ、２０ｂを押し上げられれば、如何なるものでもよい。
【００４６】
また、前記スライダー１６１を回転した際に、前記スライダー１６１の回転に対する反発力が強く、前記スライダー１６１の中央部が図６（Ｂ）の矢印「ハ」方向に膨れてしまうことを防ぐようにする為に、前記第２コンタクト１４２の第２突出部２６ｂが係合する前記係止孔３０が別個独立に設けられている。前記係止孔３０を別個独立に設けることで、前記スライダー１６１の強度アップや回転時の変形を防止している。
【００４７】
最後に、ハウジングについて説明する。このハウジングは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２１には、所要数の前記第１及び第２コンタクト１４、１４１、１４２が装着される挿入溝３８が設けられており、圧入や引っ掛け（ランス）や溶着等によって固定されている。
【００４８】
また、長手方向両側には、前記スライダー１６１の軸２８が回転可能に装着される軸受部が設けられている。この軸受部の形状や大きさは、前記スライダー１６１の軸２８が回転できるように装着されていれば如何なるものでもよく、この役割や前記ハウジング１２１の強度や大きさ等を考慮して適宜設計する。なお、長手方向両側には、前記スライダー１６１のロック部に対応した位置に係止部が設けられている。
【産業上の利用可能性】
【００４９】
本発明は、携帯電話やノートパソコンやデジタルカメラ等に使用されるコネクタに活用され、特にフレキシブルプリント基板（以下「ＦＰＣ」という）やフレキシブルフラットケーブル（以下「ＦＦＣ」という）にコンタクトを押しつける機構に関するものである。
【符号の説明】
【００５０】
１０、１０１、６０          コネクタ
１２、１２１、６２          ハウジング
１４、１４１ 第１コンタクト
１４２ 第２コンタクト  
１６、１６１、６６          スライダー
１８                        嵌合口
２０ａ、２０ｂ 第１及び第２押受部
２２ａ〜２２ｄ 第１〜第４接触部
２４ａ、２４ｂ 第１及び第２接続部
２６ａ、２６ｂ 第１及び第２突出部
２８                        軸
３０                        係止孔
３２ａ、３２ｂ 第１及び第２支点部
３４ａ、３４ｂ 第１及び第２弾性部
３６、６８                  押圧部
３８                        挿入溝
４０                        ＦＰＣ
４２ａ、４２ｂ 第１及び第２固定部
４４                        第２延設部
７０                        受け部
７２                        スリット
７４                        装着部
７６                        固定具
【手続補正３】
【補正対象書類名】図面
【補正対象項目名】図３
【補正方法】変更
【補正の内容】
【図３】
2012212688.tif 000001
【手続補正４】
【補正対象書類名】図面
【補正対象項目名】図４
【補正方法】変更
【補正の内容】
【図４】
2012212688.tif 000002
【手続補正５】
【補正対象書類名】図面
【補正対象項目名】図５
【補正方法】変更
【補正の内容】
【図５】
2012212688.tif 000003
【手続補正６】
【補正対象書類名】図面
【補正対象項目名】図６
【補正方法】変更
【補正の内容】
【図６】
2012212688.tif 000004